(57)【要約】両面上にディスクを取り付けるリーフ（４２）と、棚部からジュエルボックスベース（１６）まで垂れ下がっている取付けプレート（５１）を介して実質的に固定するように取り付けられた棚部（５２）とを含み、リーフ（４２）は、リーフの両面上のディスクに手が届くのを可能にするようにリーフが棚部を中心としてピボット運動するのを可能にするヒンジ連結部を介して棚部（５２）に連結されている、望ましくは従来型の１枚のディスク用のジュエルボックス（１２）である収容容器内に複数のディスクを保持するトレイ（１４）。リーフ（４２）から片持ち梁状に支持されているフランジ（５０）は、それぞれ、上向きに開口しているピボットボア（６６）を有しており、棚部（５２）に支持されているピボットピン（５４）をピボット運動可能に係止する。棚部の両側から垂れ下がっている補強プレートは、棚部の取付けプレートがジュエルボックスベースに係合するように必要に応じて撓むのを可能にしつつ棚部をしっかりと補強するように、棚部の取付けプレートから間隔をおいて配置されている。
2005500216.tif 000002
【特許請求の範囲】
【請求項１】
容器カバーと容器ベースとを有する収容容器内に複数のディスクを保持するトレイであって、
Ａ．各々の面が、ディスクに係止してディスクを保持するディスク係止手段を組み込んでいる第１および第２の対向する面を有し、前記容器が閉じられているときに前記ベース内にはまり込む寸法を有しているリーフと、
Ｂ．前記リーフの一方の縁部に沿って前記リーフにピボット運動可能に連結されるようになっている細長い棚部であって、該棚部を前記ベースに実質的に固定するように取り付ける取付け手段を有している棚部と、
Ｃ．前記棚部と前記リーフとの間に位置し、それらの間の相対的な回転運動を可能にし、それにより、前記容器を開くときに前記リーフをヒンジ手段を中心として回転させることによって、前記リーフの第１または第２の面上に係止しているディスクに手が届くことを可能にするヒンジ手段と、を有しているトレイにおいて、
Ｄ．前記リーフの前記一方の縁部から片持ち梁状に支持されており、前記棚部の方へ延びている少なくとも１つのフランジと、
Ｅ．前記棚部の下側から支持されており、長手方向の延長部分が前記棚部の長手方向の延長部分と実質的に平行であり、前記棚部の下面の下方に間隔をおいて配置されている、少なくとも１つの細長いピボットピンと、を有し、
Ｆ．前記フランジの自由端が、前記フランジを前記トレイの前記一方の縁部と実質的に平行な方向に貫通しており、かつ下向きに挿入された前記少なくとも１つのピボットピンを受け止めてピボット運動可能に保持するような寸法を有している、上向きに開口しているピボットボアを有し、それにより、前記リーフは、前記少なくとも１つのピボットピンを中心として１８０°にわたってピボット運動可能であり、前記リーフの各々の面に取り付けられているディスクに手が届くことを可能にすることを特徴とする、容器カバーと容器ベースとを有する収容容器内に複数のディスクを保持するトレイ。
【請求項２】
前記容器は１枚のコンパクトディスク用の標準的なジュエルボックス容器である、請求項１に記載のトレイ。
【請求項３】
前記棚部に形成された少なくとも１つの長穴と、前記棚部によって支持され、前記ピボットピンが前記少なくとも１つの長穴によって形成された開口にまたがるように前記ピボットピンを取り付ける手段とをさらに含み、前記少なくとも１つのフランジは前記長穴を通って延びており、それにより、上向きに開口しているピボットボアは前記ピボットピンにピボット運動可能に係止されている、請求項１に記載のトレイ。
【請求項４】
フランジの数と、ピボットピンの数と、長穴の数とが等しい、請求項３に記載のトレイ。
【請求項５】
２つのフランジと、２つのピボットピンと、２つの長穴とを有している、請求項４に記載のトレイ。
【請求項６】
前記取付け手段は、前記棚部の第１および第２の対向する面上に設けられた第１および第２の棚部取付け手段を有しており、該第１および第２の棚部取付け手段は、前記棚部によって支持され、かつ前記棚部から垂れ下がっている第１および第２の端部プレートを有しており、該端部プレートの各々は、端部プレートから外側に突出し、前記棚部をピボット運動しないように、かつ実質的に固定するように前記ベースに取り付ける、取付け開口に係止している取付けピンを有しており、前記トレイは、
前記棚部の前記第１および第２の対向する面上に設けられた第１および第２の補強プレートを有している補強手段をさらに含んでおり、前記両補強プレートは、前記棚部から垂れ下がっており、かつ前記棚部の各面上の対応する端部プレートの前方に端部プレートから間隔をおいて取り付けられており、前記取付けピンを前記取付け開口に係止させるために必要に応じて前記端部プレートを内側および外側に撓ませることを可能にしつつ前記棚部の前記下面をしっかりと補強する、請求項１に記載のトレイ。
【請求項７】
前記棚部は、上壁部分の前部の縁から前記リーフの前記一方の縁部の方へ下向きかつ前方に延びている前壁部分を有しており、前記前壁部分と前記上壁部分とは、前記前壁部分と前記上壁部分との間に鈍角を成しており、前記補強プレートの各々は、対応する鈍角を間に形成している上壁部分と前壁部分とを有しており、前記各補強プレートの前記上壁部分と前記前壁部分とは、前記棚部の前記上壁部分および前記前壁部分の下面にそれぞれ係合している、請求項６に記載のトレイ。
【請求項８】
複数のディスクを保持する収容容器であって、該容器は、ベースと、前記ベースに対して１８０°回転するピボット運動可能に取り付けられ、前記容器を開いて前記容器の内側に手が届くことを可能にする蓋とを有する１枚のディスク用の標準的なジュエルボックスと、各々の面が、ディスクに係止してディスクを保持するディスク係止手段を組み込んでいる第１および第２の対向する面を有し、前記容器が閉じられているときに前記ベース内にはまり込む寸法を有しているリーフと、前記リーフの一方の縁部に沿って前記リーフにピボット運動可能に連結されるようになっている細長い棚部であって、該棚部を前記ベースに実質的に固定するように取り付ける取付け手段を有している棚部と、前記棚部と前記リーフとの間に位置し、それらの間の相対的なピボット運動を可能にし、それにより、前記容器を開くときに前記リーフをヒンジ手段を中心として回転させることによって、前記リーフの第１または第２の面上に係止しているディスクに手が届くことを可能にするヒンジ手段と、を有している複数のディスクを保持する収容容器において、
Ａ．前記リーフの前記一方の縁部から片持ち梁状に支持されており、前記棚部の方へ延びている少なくとも１つのフランジと、
Ｂ．前記棚部の下側から支持されており、長手方向の延長部分が前記棚部の長手方向の延長部分と実質的に平行であり、前記棚部の下面の下方に間隔をおいて配置されている、少なくとも１つの細長いピボットピンと、を有し、
Ｃ．前記フランジの自由端が、前記フランジを前記トレイの前記一方の縁部と実質的に平行な方向に貫通しており、かつ下向きに挿入された前記少なくとも１つのピボットピンを受け止めてピボット運動可能に保持するような寸法を有している、上向きに開口しているピボットボアを有し、それにより、前記リーフは、前記少なくとも１つのピボットピンを中心として１８０°にわたってピボット運動可能であり、前記リーフの各々の面に取り付けられているディスクに手が届くことを可能にすることを特徴とする、複数のディスクを保持する収容容器。
【請求項９】
前記棚部に形成された少なくとも１つの長穴と、前記棚部によって支持され、前記ピボットピンが前記少なくとも１つの長穴によって形成された開口にまたがるように前記ピボットピンを取り付ける手段とをさらに含み、前記少なくとも１つのフランジは前記長穴を通って延びており、それにより、上向きに開口しているピボットボアは前記ピボットピンにピボット運動可能に係止されている、請求項８に記載の収容容器。
【請求項１０】
フランジの数と、ピボットピンの数と、長穴の数とが等しい、請求項９に記載の収容容器。
【請求項１１】
２つのフランジと、２つのピボットピンと、２つの長穴とを有している、請求項１０に記載の収容容器。
【請求項１２】
前記取付け手段は、前記棚部の第１および第２の対向する面上に設けられた第１および第２の棚部取付け手段を有しており、該第１および第２の棚部取付け手段は、前記棚部によって支持され、かつ前記棚部から垂れ下がっている第１および第２の端部プレートを有しており、該端部プレートの各々は、端部プレートから外側に突出し、前記棚部をピボット運動しないように、かつ実質的に固定するように前記ベースに取り付ける、取付け開口に係止している取付けピンを有しており、前記トレイは、
前記棚部の前記第１および第２の対向する面上に設けられた第１および第２の補強プレートを有している補強手段をさらに含んでおり、前記両補強プレートは、前記棚部から垂れ下がっており、かつ前記棚部の各面上の対応する端部プレートの前方に端部プレートから間隔をおいて取り付けられており、前記取付けピンを前記取付け開口に係止させるために必要に応じて前記端部プレートを内側および外側に撓ませることを可能にしつつ前記棚部の前記下面をしっかりと補強する、請求項８に記載の収容容器。
【請求項１３】
前記棚部は、上壁部分の前部の縁から前記リーフの前記一方の縁部の方へ下向きかつ前方に延びている前壁部分を有しており、前記前壁部分と前記上壁部分とは、前記前壁部分と前記上壁部分との間に鈍角を成しており、前記補強プレートの各々は、対応する鈍角を間に形成している上壁部分と前壁部分とを有しており、前記各補強プレートの前記上壁部分と前記前壁部分とは、前記棚部の前記上壁部分および前記前壁部分の下面にそれぞれ係合している、請求項１２に記載の収容容器。
【発明の詳細な説明】
【技術分野】
【０００１】
本発明は、概ねコンパクトディスク収容容器に関し、より詳しくは、２以上のコンパクトディスクを保持することのできる透明な収容容器に関する。
【背景技術】
【０００２】
現在、光学的手段や磁気的手段のような様々な手段によって、取り込むべき情報を記録し格納するために様々な種類の平面状のディスクが使用されている。このようなディスクの代表的なものとして、情報が、レーザ光線を用いることによってディジタル方式で記録され、次にレーザ光線によって光学的に読み取られるコンパクトディスクがある。このようなディスクは、音楽演奏などのオーディオ情報、視覚画像などのビデオ情報、およびコンピュータ用途のような様々な用途に用いられる読取り専用メモリおよびその他のメモリとして用いることのできるディジタル情報を記録するのに用いられる。大抵の場合には、現在、このようなディスクは、情報が記録された状態で販売されている。他の用途では、このようなディスクはブランク状態で販売され、顧客がそれに情報を記録することに用いられる。後者の場合、たとえば、光学ディスクは、コンピュータ記憶媒体として用いるために販売され、硬性のディスク収容器内で用いられる。本明細書では、コンパクトディスクまたはＣＤの用語は、それらのサイズにかかわらず、すべての公知の用途または提案されている用途用のすべてのそのようなディスクを包含するものである。
【０００３】
レーザで記録された情報を含むコンパクトディスクは通常、収容中および出荷中にディスクを保護するために、１枚または２枚以上のＣＤを保持するように構成された射出成形されたプラスチック製の容器内に収容されている。公知の「ジュエルボックス」のような、現在一般的に用いられている容器は、ベースすなわち底部部材と、たとえばディスクの中心の孔の周囲にはまる中央突起（一般的に「ロゼット」と呼ばれている。）によって、ベース／底部部材内にディスクを位置決めさせて支持する、ベース／底部部材内のインサートまたはトレイと、ディスクが容器内でトレイ上に取り付けられた後に、ベース／底部部材にヒンジ止めされベース／底部部材の上に閉じられる蓋またはカバーとから成る３つの部品の組立体を有している。容器は通常は少なくとも部分的に透明であり、ディスクに関連し、かつ商標および販売推進用の情報を含む図画が通常は容器を通して見えるように描かれている。
【０００４】
近年、２枚以上、通常は２枚のコンパクトディスクを１つの収容器内に収容するニーズが生じている。追加のディスクを受け入れるように従来のジュエルボックスの長さまたは厚さを大きくするという、収容上の最も分かりやすい解決策は、産業界にも消費者にも受け入れられていない。産業界ではすでに、特に従来のサイズのジュエルボックス向けに構成された自動収容装置に多額の投資をしている。収容容器のサイズを変更する場合、新しい収容容器向けに構成された別個の自動収容ラインを組み立てて設置する必要があり、多額の経費がかかる。この場合には、製造業者は、複数のサイズの収容容器を倉庫に保管する必要もある。さらに、より大きな収容容器は、かなり大きな小売棚空間を占め、したがって、小売店の棚に置くことができる商品が少なくなる。小売業者のような消費者は、収容容器が大きいほどより多くの空間を占有し、かつそのような収容容器を保管することがより困難であることに気付いている。その結果、複数ディスク収容容器は従来のジュエルボックスと同一の寸法であるべきという総意が形成されつつある。
【０００５】
商業的に最も普及している複数ディスク収容容器の１つが、従来のジュエルボックスに挿入される２ＣＤトレイを開示したＧｅｌａｒｄｉ等の特許文献１に開示されている。このようなジュエルボックスは、隆起した周囲縁部を備えたベースと、そのベースにヒンジ止めされ、ベースの隆起した縁部に相補的な垂れ下がっている側壁を備えた蓋とを有している。このカバーは、カバーの互いに向かい合う側壁から内側に延び、ベースの互いに向かい合う隆起した縁部に形成された孔に受け入れられるラグを介して、ベースにヒンジ止めされている。これらの同じ孔は２ＣＤトレイをベース上に取り付けるのに用いられるため、ラグはこれらの同じ孔を通って部分的にのみ延びていることが重要である。トレイは、両面上に第１および第２のＣＤ取付けロゼットを有する実質的に平坦なリーフを有している。棚部が、リースの一方の側に沿って形成されており、かつリーフから上向きに延びている上り勾配部分と、リーフとほぼ平行な高部分とを、この２つの部分が現行のヒンジを介してヒンジ状に連結されている状態で含んでいる。一対の側面プレートが、棚部の高部分の両端から垂れ下がっており、かつ前述の孔内でラグの方へ延びるように前述の孔内に挿入させる外側に延びているスタブを含んでいる。スタブが孔内に係合し、棚部の高部分の底面が隆起した縁部の上側の端部に接触している状態では、棚部は、ベース上の所定の位置にしっかりと保持され、トレイは現行のヒンジを中心として１８０°ピボット運動することが可能である。
【０００６】
Ｇｅｌａｒｄｉ等の２ＣＤトレイは、現行のヒンジを用いて、トレイをピボット運動させることによって両方のＣＤに手が届くことを可能にしている。現行のヒンジを機能させるには、可撓性であり、かつ破損せずに繰り返しピボット運動することができる非結晶スチレンコポリマー、スチレンポリプロピレンコポリマー、スチレンポエチレンコポリマーなどの材料でヒンジを形成しなければならない。しかしながら、そのような材料は透明ではなく、市場では現在、広告および図画用の追加の表示面を形成するために、結晶ポリスチレンのような透明な材料から成形された透明な収容容器が求められている。結晶ポリスチレンのような透明度の高い材料を使用することに伴う問題は、その材料は極めて脆弱であり、かなり容易に破損することである。したがって、このように脆弱な材料をＧｅｌａｒｄｉ等の２ＣＤトレイにおける現行のヒンジとして用いることはできない。
【０００７】
結晶スチレンで形成された透明度の高い２ＣＤ収容容器を提供する１つの手法は、Ｇｅｌａｒｄｉ等のトレイに非常に類似している結晶スチレントレイを用いることを開示している特許文献２に開示されている。Ｇｅｌａｒｄｉ等のものと同様の脆弱線、すなわち褶曲線が、棚部の高部部分と上り勾配部分との間に形成されている。しかしながら、合成材料の可撓性シートが、過成形プロセスによって、脆弱線上の高部分および上り勾配部分の表面に付着させられている。トレイは脆弱な結晶スチレンで成形されるので、初めてトレイをピボット運動させたときに、脆弱線が破損し、過成形された可撓性のシートのみがヒンジとして働き、トレイを１８０°ピボット運動させることを可能にしている。この手法に関する重大な問題は、この手法は成形プロセスが困難で、かつ時間がかかり、したがって、コストが極めて高くなることである。
【０００８】
他の手法は、現行のヒンジの代わりに、間隔をおいて配置された、モールド成形された一対の機械的ヒンジを用いてトレイをピボット運動するように棚部に連結させることを除いて、Ｇｅｌａｒｄｉ等のものと同様の２ＣＤトレイを構成することである。この手法の一実施形態が、従来のジュエルボックスのベース内に入れ子式に取り付けることのできる２ＣＤトレイインサートを示す、Ｇａｒｔｚの特許文献３に開示されている。このインサートは、両面上にディスク受け平面を有するトレイと、トレイの両側にＣＤを受け止めて保持するために各平面の中央に配置されたロゼットとを有している。棚部は、ジュエルボックスのベースに、ピボット運動しないように、かなりしっかりと取り付けられており、トレイは、一対の機械的ヒンジを介して、トレイにピボット運動可能に取り付けられている。具体的には、トレイと一体に形成された一対のフランジが、その両側から後方に、棚部の切欠き部分を通って延びており、棚部から垂れ下がっているプレートにピボット運動可能に係合している。トレイが１８０°ピボット運動することを可能にし、トレイの両側のＣＤに手が届くことを可能にするために、後方に延びているフランジの端部上の孔／ピンが、プレート上のピン／孔に係合している。この手法に関する問題は、結晶ポリスチレンが極めて脆弱であるため、現在までに提案されている機械的ヒンジ構成が、自動収容ライン上のプロセス、ＣＤ収容容器の通常の使用に伴う頻繁な開閉、出荷、あるいは誤って落としたり堅い表面にぶつけたりした場合、その結果として破損することである。
【特許文献１】
米国特許第５２８４２４３号明細書
【特許文献２】
国際公開第９６／２３３０４号パンフレット
【特許文献３】
米国特許第５９１５５５０号明細書
【発明の開示】
【発明が解決しようとする課題】
【０００９】
市場では透明度の高い複数ＣＤ収容容器が求められており、かつこのような容器を一般的に構成する結晶スチレン材料の脆弱性による問題を解決するために現在までかなりの努力がなされているにもかかわらず、完全に満足のいく複数ＣＤ収容容器は未だ開発されていないことが理解されるであろう。これは、現在までに提案されている容器が、製造コストが非経済的であるか、または使用上の信頼性に欠けるためである。したがって、簡素で、製造コストが安く、比較的頑丈で透明な複数ＣＤ収容容器に対するニーズが依然として存在する。
【００１０】
したがって、本発明の主な目的は、透明で非常に脆弱なプラスチック材料で射出成形によって成形可能であり、さらに、製造コストが安く、ＣＤ収容容器の通常の製造、収容、出荷、および消費者による使用に耐えるのに十分な耐久性を有する複数ＣＤ収容容器を提供することである。
【００１１】
本発明の他の目的は、変更されていない従来型の１枚のディスク用のジュエルボックス内にはめ込んで取り付けることが可能な、２枚のＣＤを保持するトレイを用いた複数ＣＤ収容容器を提供することである。
【００１２】
本発明の目的はまた、透明で、非常に脆弱なプラスチック材料で形成されているにもかかわらず、耐久性が非常に高く、かつ使用時の破損を最小限に抑える、特に頑丈で、かつ信頼性が高いピボット運動可能な構成でジュエルボックスに取り付けられた２ＣＤトレイを含む複数ＣＤ収容容器を提供することである。
【００１３】
本発明の他の目的は、ピボットピンを受け止めてピボット運動可能に保持する、上向きに開口しているピボットボアを有する取付けフランジをトレイ上に有している従来型のジュエルボックスのベース内に、２ＣＤトレイ用の頑丈で耐久性の高い取付け構成を設けることである。
【００１４】
本発明のさらに他の目的は、複数ＣＤトレイの両側に取り付けられたＣＤに手が届くことを可能にするために複数ＣＤトレイが１８０°弧状にピボット運動できるように複数ＣＤトレイを棚部にピボット運動可能に取り付ける棚取付け手段によって従来型のジュエルボックスのベースに実質的に固定するように取り付けられた棚部であって、棚部の両側から垂れ下がっており、かつ棚取付け手段から間隔をおいて配置され、棚取付け手段がジュエルボックスベースに係合するように必要に応じて撓むのを可能にしつつ棚部をしっかりと補強する補強プレートを有している棚部を含んでいる複数ＣＤ収容容器を提供することである。
【課題を解決するための手段】
【００１５】
上記およびその他の目的は、容器カバーおよび容器ベースを有する収容容器内に複数のディスクを保持するトレイであって、
Ａ．各々の面が、ディスクに係止してディスクを保持するディスク係止手段を組み込んでいる第１および第２の対向する面を有し、容器が閉じられているときにベース内にはまり込む寸法を有しているリーフと、
Ｂ．リーフの一方の縁部に沿ってリーフにピボット運動可能に連結されるようになっている細長い棚部であって、棚部をベースに実質的に固定するように取り付ける取付け手段を有している棚部と、
Ｃ．棚部とリーフとの間に位置し、それらの間の相対的な回転運動を可能にし、それにより、容器を開くときにリーフをヒンジ手段を中心として回転させることによって、リーフの第１または第２の面上に係止しているディスクに手が届くことを可能にするヒンジ手段と、を有し
Ｄ．少なくとも１つのフランジが、リーフの一方の縁部から片持ち梁状に支持され、かつ棚部の方へ延びており、
Ｅ．少なくとも１つの細長いピボットピンが、棚部の下側から支持されており、ピンの長手方向の長さが棚部の長手方向の長さと実質的に平行であり、ピンは棚部の下面の下方に間隔をおいて配置されており、
Ｆ．フランジの自由端が、フランジをトレイの一方の縁部と実質的に平行な方向に貫通しており、かつ下向きに挿入された少なくとも１つのピボットピンを受け止めてピボット運動可能に保持するような寸法を有している、上向きに開口しているピボットボアを有し、それにより、リーフは、少なくとも１つのピボットピンを中心として１８０°にわたってピボット運動可能であり、リーフの各々の面に取り付けられているディスクに手が届くことを可能にするトレイを提供することによって、本発明により達成される。
【００１６】
本発明の他の態様では、取付け手段は、棚部の第１および第２の対向する面上に設けられた第１および第２の棚部取付け手段を有しており、第１および第２の棚部取付け手段は、棚部によって支持され、かつ棚部から垂れ下がっている第１および第２の端部プレートを有しており、端部プレートの各々は、端部プレートから外側に突出し、棚部をピボット運動しないように、かつ実質的に固定するようにベースに取り付ける、取付け開口に係止している取付けピンを有しており、トレイは、棚部の第１および第２の対向する面上に設けられた第１および第２の補強プレートを有している補強手段をさらに含んでおり、両補強プレートは、棚部から垂れ下がっており、かつ棚部の各面上の対応する端部プレートの前方に端部プレートから間隔をおいて取り付けられており、取付けピンを取付け開口に係止させるために必要に応じて端部プレートを内側および外側に撓ませることを可能にしつつ棚部の下面をしっかりと補強する、このようなトレイが提供される。
【発明を実施するための最良の形態】
【００１７】
本発明の好ましい実施形態が、複数のＣＤを収容する改良された収容容器１０が示されている図１〜９に示されている。この収容容器は、従来型のジュエルボックス１２と、射出成形された複数ＣＤプラスチックトレイ１４とを含んでいる。従来型のジュエルボックス１２は、ピボット運動するようにヒンジ状に連結されたベース１６とカバー１８とを有している。ベース１６は、平坦な矩形状の床板２０と、側面にある側壁２２と、前壁２４と、背壁２６とを有している。ピボットピン受け開口２８が、背壁２６に隣接する側壁２２に形成されている。カバー１８は、平坦な矩形状の上面３０と、ベース１６の側壁２２と相補的であり、かつカバー１８がベース１６に取り付けられてベース１６上に閉じられたときにベースの側壁２２を囲む、上面３０から垂れ下がっている側壁３２とを含んでいる。カバー１８の側壁３２は、内側に突出しているピボットピン３４を各々が備えている、前方に突出している延長部３２ａを有している。ピボットピン３４は、格納容器１０を開閉するためにカバー１８が１８０°ピボット運動することのできるピボット軸を形成するために内側に突出しており、ピボットピン開口２８内に係止する。ピボットピン３４は、通常は、以下に詳しく説明する理由で、開口２８を通って部分的にのみ延びている。
【００１８】
複数ＣＤトレイ１４は、側面にある互いに向かい合う側壁４４と、ベース１６内に入れ子になるような大きさを有しているリーフ４２に適した実質的に矩形形状を形成する前壁４６とを有する、実質的に平坦なリーフ４２を有している。リーフ４２は、ＣＤを受け止めてトレイ１４の各面上に保持する、リーフ４２の両面上の第１および第２のＣＤ保持ロゼット４８と、ユーザがＣＤの周囲縁を掴んでロゼット４８から取り外すのを可能にする指窪み４９とを含んでいる。後方に突出している一対のフランジ５０が、平坦なリーフ４２の後方の縁部と一体に成形されており、トレイ１４が以下に説明するようにフランジ５０を介してピボット運動可能に連結されるトレイピボットピン５４を支持する棚部５２を介してトレイ１４をピボット運動可能にベース１６に連結している。棚部５２は、トレイ１４を備え、かつトレイ１４をベース１６内に入れ子関係に位置決めするために、概ねベース１６の側壁２２同士の間にわたっている。好ましい実施形態では、棚５２は、上壁部分５２ｂの前縁からトレイ１４まで下向きかつ前方に延び、かつ上壁部分５２ｂとの間にわずかに鈍角、望ましくは約１１０°を成している前壁部分５２ａを含んでいる。フランジ５０は、前壁部分５２ａを通って後方に突出し、かつ棚部５２の下面に沿って支持されているフランジピボットピン５４にピボット運動可能に連結されている。フランジ５０は、上壁部分５２ｂおよび前壁部分５２ａに形成された切欠き５６内を自由に移動できるようになっており、トレイ１４の両面上のＣＤに手を届かせ、トレイ１４がトレイピボットピン５４を中心として１８０°弧状にピボット運動するのを可能にしている。
【００１９】
側壁２２と背壁２６との間に形成されたベース１６の隅部の分解図を示す図３を特に参照すると、カバーの側壁の延長部３２ａは、ベース１６の側壁２２のピボットピン開口２８内に受け入れられる、内側に突出しているピボットピン３４を備えていることが分かる。棚５２は、棚部５２をベース１６に、ベース１６の側面にある側壁２２同士の間にピボット運動しないように取り付けるための、棚部の上壁部分５２ｂの下面から上壁部分５２ｂの両側または両端部に沿って垂れ下がっている、一対の第１の側面プレート５８を含んでいる。側面プレート５８の各々は、取付けピン６０が開口２８内でピボットピン３４の方へ延びるように、ベースの内側からピボットピン開口２８内に挿入するための、側面プレート５８から外側に、隣接する側壁２２の方へ延びている取付けピン６０を有している。取付けピン６０は、ピボットピン開口２８内のピボットピン３４の回転に干渉しないように比較的小さい奥行きを有していることが理解されるであろう。取付けピン６０が開口２０内に係止した状態では、上壁部分５２ｂの底面６２ｂが、背壁２６に隣接する側壁２２の上面２２ａと背壁２６の上面２６ａとに接触し、棚部５２をベース上の所定の位置に実質的に固定するように維持する。
【００２０】
一対の第２の側面プレート５９が、棚部の上壁部分５２ｂの下面６２ｂと棚部の前壁部分５２ａの下面６２ａとの間を、上壁部分５２ｂの両側または両端部に沿って延び、棚部５２の鈍角構造の構造上の一体性を維持する両壁部に係止する支持リブを形成している。側面プレート５９は上壁部分５９ｂと前壁部分５９ａとを含んでおり、上壁部分５９ｂと前壁部分５９ａとの間には、棚部の上壁部分６２ｂと棚部の前壁部分６２ａとの間に形成される鈍角に対応する鈍角が形成されている。
【００２１】
一対の第１の側面プレート５８は、一対の第２の側面プレート５９の後面のすぐ後ろに、ただし後面から間隔をおいて、かつ前後方向において側面プレート５９に位置合わせされるように取り付けられることが好ましい。この構成により、取付けピン６０をピボットピン内２８内に係止する場合にプレート５８が必要に応じて内側および外側に撓むのを容易にする、一対の後側のプレート５８の横方向の可撓性を妨げずに、一対の前側のプレート５９がその補強機能を実現することが可能になる。棚部５２はまた、棚部の上壁部分５２ｂの下面６２ｂから垂下する、側面プレート５８と同様の２対のピボットピン支持フランジ６４も含んでおり、各フランジ対の部材は、切欠き５６の各側上に位置し、各トレイピボットピン５４が各切欠き５６によって形成された開口にまたがるように間にトレイピボットピン５４を支持している。
【００２２】
図３および６に最も明確に示されているように、後方に突出している各フランジ５０の後方の端部に、トレイ１４の後方の縁と実質的に平行な方向に各フランジ５０を貫通しているピボットボア６６が形成されている。上向きに開口している挿入長穴６８が、ピボットボア６６の上方の、各フランジ５０の後方の上側の縁の辺りから、下向きに延びてピボットボア６６に連通している。好ましい実施形態では、挿入長穴６８は実質的にＶ字形であるかまたは円錐台形である。ボア６６の上端では、挿入長穴６８の各々は、トレイピボットピン５４の直径と少なくとも同じ広さの幅を有している。挿入長穴６８の各々は、ピボットボア６６に向かう方向に先細りになっており、そのため、上端から挿入されたトレイピボットピン５４を挿入長穴６８内に容易に位置決めすることができるが、トレイピボットピン５４は、トレイピボットピン５４が挿入長穴６８の最も狭い直径部分を越えて移動してピボットボア６６にパチンとはまるまで、トレイピボットピン５４が下向きに移動するのにつれて挿入長穴６８の壁同士を広げるように、ピボットボア６６内に下向きに押し込まれなけばならない。フランジ５０が切欠き５６を通って延び、トレイピボットピン５４がピボットボア６６内に係止している状態では、トレイ１４は、トレイ１４の両面上のＣＤに手を届かせることができるように、トレイピボットピン５４を通って延びており、ピボットピン３４と取付けピン６０との間を延びているピボット運動軸と平行な軸を中心として、１８０°にわたってピボット運動可能である。
【００２３】
トレイ１４を前述のようにヒンジによってベース１６に連結することによって、結晶ポリスチレンのような透明で非常に脆弱なプラスチック材料で形成されているにもかかわらず耐久性の高い、頑丈で信頼性が高いピボット運動可能な取付け構成がもたらされることが理解されるであろう。特に、長穴６８に対してピボットピン５４を下向きに挿入することでピボットピン５４を受け入れるために、上向きに開口している挿入長穴６８をフランジ５０に設けることによって、挿入時のフランジの破損が最小限に抑えられる。これに比べて、Ｇａｒｔｚの米国特許第５９１５５５０号明細書に開示されているように、挿入長穴を後方に開口するように向けると、フランジは、ピボットピンを挿入長穴にパチンとはめるのに必要な後方への圧力を受けて横方向に座屈する傾向がある。収容容器のジュエルボックスの部分は、当技術分野で公知の従来の方法で構成されている。トレイは、ベースおよびカバーとは別に成形され、棚部がトレイとは別個に形成されるように成形することも、棚部がトレイと一体に形成されるように成形することもできる。
【００２４】
本発明をその特定の実施形態に関して説明してきたが、添付の特許請求の範囲に定義された構造または構成以外の構造または構成の詳細が制限されることはないことが理解されるであろう。
【図面の簡単な説明】
【００２５】
【図１】分解されたジュエルボックス、挿入可能な複数ＣＤトレイ、およびトレイ上に挿入される２枚のＣＤを示している、本発明の複数ＣＤ収容容器の分解斜視図である。
【図２】ジュエルボックスのベース内に１８０°回転するように挿入された複数ＣＤトレイの斜視図である。
【図３】本発明の複数ＣＤ収容容器用のピボット組立体の一実施形態の１つの隅部の分解斜視図である。
【図４】本発明の複数ＣＤトレイの平面図である。
【図５】本発明の複数ＣＤトレイの正面図である。
【図６】図４の６−６線に沿った、後方に延びているトレイフランジの断面図である。
【図７】本発明の複数ＣＤトレイの棚部の平面図である。
【図８】本発明の複数ＣＤトレイの棚部の側面図である。
【図９】本発明の複数ＣＤトレイの棚部の正面図である。
【国際公開パンフレット】
2005500216.tif 000003
2005500216.tif 000004
2005500216.tif 000005
2005500216.tif 000006
2005500216.tif 000007
2005500216.tif 000008
2005500216.tif 000009
2005500216.tif 000010
2005500216.tif 000011
2005500216.tif 000012
2005500216.tif 000013
2005500216.tif 000014
2005500216.tif 000015
2005500216.tif 000016
2005500216.tif 000017
2005500216.tif 000018
2005500216.tif 000019
2005500216.tif 000020
2005500216.tif 000021
2005500216.tif 000022
2005500216.tif 000023
2005500216.tif 000024
【国際調査報告】
2005500216.tif 000025